(57)【要約】【課題】【請求項１】円筒体（１）に、ひと月の日付と次回交換日を並べ、回転体（２）には、１年間の月を並べ、回転体（３）には、交換実施日の穴（３ａ）と次回交換日の穴（３ｂ）、（３ｃ）、（３ｄ）を設けて、回転体（２）、回転体（３）を円筒体（１）に重ねて重合することを特徴とする。【選択図】　　　図２
2004109955.tif 000002
【特許請求の範囲】
【請求項１】
円筒体（１）に、ひと月の日付と次回交換日を並べ、回転体（２）には、１年間の月数を並べ、回転体（３）には、交換実施日の穴（３ａ）と次回交換日の穴（３ｂ）、（３ｃ）、（３ｄ）を設けて、回転体（２）、回転体（３）を円筒体（１）に重合させたコンタクト交換日カレンダー。
【発明の詳細な説明】
【０００１】
【発明の属する技術分野】
この発明は、使い捨てコンタクトの交換実施日と次回交換日を表示できるカレンダーに関するものである。
【０００２】
【従来の技術】
使い捨てコンタクトは、２週間（１４日間）等、一定の期間で交換することが、目の健康にとって重要である。
しかし実際には、日時が経つにつれて、いつ交換したのか、また、いつ交換するのか、分からなくなってしまう。
そのため、期間を超えて装着したり、短い期間で交換してしまう場合がある。
【０００３】
【発明が解決しようとする課題】
本発明は、いつコンタクトを交換して、いつ交換するのか分からなくなるという欠点をなくすために、交換実施日と次回交換日がわかるようにすることと、常に交換日が意識できるようにすることを目的とするものである。
【０００４】
【課題を解決するための手段】
円筒体（１）の胴表面に、第１行目カレンダー対応部（１ａ）を設け、その下に、第２行目カレンダー表示部（１ｂ）として、ひと月３１日間のカレンダーを表示し、１から３１の数字を横一列に均等に並べ、その下に第３行目カレンダー表示部（１ｃ）として、ひと月３１日間用のカレンダーを表示し、１５から３１の数字と、その次に１から１４の数字を横一列に並べ、背景色を色（８）とし、さらに第３行目カレンダー表示部（１ｃ）の下に第４行目カレンダー表示部（１ｄ）として、ひと月３０日間用のカレンダーを表示し、１５から３０の数字と、その次に１から１４の数字を横一列に並べ、背景色を色（９）とし、さらに、第４行目カレンダー表示部（１ｄ）の下に、第５行目カレンダー表示部（１ｅ）として、ひと月２８日間用のカレンダーを表示し、１５から２８の数字と、その次に１から１４の数字を横一列に並べ、背景色を色（１０）とし、各列を揃える。
そして、円筒体（１）の上部は、重合用凸部（４）にする。
また、円筒体（１）の下部は、重合用凸部（５）にする。
回転体（２）表面には、第１行目カレンダー表示部（２ａ）として、１から１２の数字を横一列に並べ、１、３、５、７、８、１０、１２の部分の背景色を色（８）とし、４、６、９、１１の部分の背景色を色（９）とし、２の部分の背景色を色（１０）にする。
また、回転体（２）の上部は、円筒体（１）の重合用凸部（４）と重合できるように重合用凹部（６）にする。
回転体（３）の表面の一列に、円筒体（１）の第２行目カレンダー表示部（１ｂ）と重なるラインに、交換実施日の穴（３ａ）を設け、その下の第３行目カレンダー表示部（１ｃ）と重なるラインに、次回交換日の穴（３ｂ）を設け、その下の第４行目カレンダー表示部（１ｄ）と重なるラインに、次回交換日の穴（３ｃ）を設け、その下の第５行目カレンダー表示部（１ｅ）と重なるラインに、次回交換日の穴（３ｄ）を設ける。
また、回転体（３）の下部は、円筒体（１）の重合用凸部（５）と重合できるように重合用凹部（７）にする。
回転体（２）を円筒体（１）の外側に挿入して、円筒体（１）の重合用凸部（４）と回転体（２）の重合用凹部（６）を重合させる。
回転体（３）を円筒体（１）の外側に挿入して、円筒体（１）の重合用凸部（５）と回転体（３）の重合用凹部（７）を重合させる。
これにより、円筒体（１）と回転体（２）、回転体（３）が重合され、なおかつ、回転体（２）、回転体（３）が回転できるようになる。
本発明は、以上の構成よりなるコンタクトレンズの交換日が、分かる器具である。
【０００５】
【発明の実施の形態】
以下、本発明の実施の形態について説明する。
（イ）円筒体（１）の胴表面に、第１行目カレンダー対応部（１ａ）を設ける。（ロ）円筒体（１）の胴表面の第１行目カレンダー対応部（１ａ）の下に、第２行目カレンダー表示部（１ｂ）として、ひと月３１日間のカレンダーを表示し、１から３１の数字を横一列に並べる。
（ハ）同じように、円筒体（１）の胴表面の第２行目カレンダー表示部（１ｂ）の下に、第３行目カレンダー表示部（１ｃ）として、ひと月３１日間用のカレンダーを表示し、１５から３１の数字と、その次に１から１４の数字を横一列に並べ、背景色を色（８）とする。
（ニ）さらに、円筒体（１）の胴表面の第３行目カレンダー表示部（１ｃ）の下に、第４行目カレンダー表示部（１ｄ）として、ひと月３０日間用のカレンダーを表示し、１５から３０の数字と、その次に１から１４の数字を横一列に並べ、背景色を色（９）とする。
（ホ）さらに、円筒体（１）の胴表面の第４行目カレンダー表示部（１ｄ）の下に、第５行目カレンダー表示部（１ｅ）としでて、ひと月２８日間用のカレンダーを表示し、１５から２８の数字と、その次に１から１４の数字を横一列に並べ、背景色を色（１０）とする。
（ヘ）第２行目カレンダー表示部（１ｂ）、第３行目カレンダー表示部（１ｃ）、第４行目カレンダー表示部（１ｄ）、第５行目カレンダー表示部（１ｅ）の数字は列を揃える。
（ト）円筒体（１）の上部は、重合用凸部（４）にする。
（チ）円筒体（１）の下部は、重合用凸部（５）にする。
（リ）回転体（２）の表面には、１年間の月数である第１行目カレンダー表示部（２ａ）として１から１２の数字を横一列に並べ、１、３、５、７、８、１０、１２の部分の背景色を色（８）とし、４、６、９、１１の部分の背景色を色（９）とし、２の部分を背景色を色（１０）にする。
（ヌ）回転体（２）の上部は、円筒体（１）の重合用凸部（４）と重合できるように重合用凹部（６）にする。
（ル）回転体（３）の表面には、円筒体（１）の第２行目カレンダー表示部（１ｂ）と重なるラインに、交換実施日の穴（３ａ）を設ける。
（ヲ）さらに、回転体（３）の表面の交換実施日の穴（３ａ）の下に、円筒体（１）の第３行目カレンダー表示部（１ｃ）と重なるラインに、次回交換日の穴（３ｂ）を設ける。
（ワ）さらに、回転体（３）の表面の次回交換日の穴（３ｂ）の下に、円筒体（１）の第４行目カレンダー表示部（１ｄ）と重なるラインに、次回交換日の穴（３ｃ）を設ける。
（カ）さらに、回転体（３）の表面の次回交換日の穴（３ｃ）の下に、円筒体（１）の第５行目カレンダー表示部（１ｅ）と重なるラインに、次回交換日の穴（３ｄ）を設ける。
（ヨ）回転体（３）の下部は、円筒体（１）の重合用凸部（５）と重合できるように重合用凹部（７）にする。
（タ）回転体（２）を円筒体（１）の外側に挿入して、円筒体（１）の重合用凸部（４）と回転体（２）の重合用凹部（６）を重合させる。
（レ）回転体（３）を円筒体（１）の外側に挿入して、円筒体（１）の重合用凸部（５）と回転体（３）の重合用凹部（７）を重合させる。
（ソ）これにより、円筒体（１）と回転体（２）、回転体（３）が、重合され、なおかつ、回転体（２）、回転体（３）が回転できるようになる。
本発明は、以上の構成よりなるコンタクトレンズの交換日が、分かる器具である。
これを使用するときは、回転体（３）の交換実施日の穴（３ａ）と回転体（２）の第１行目カレンダー表示部（２ａ）を円筒体（１）の第２行目カレンダー表示部（１ｂ）の交換実施日に合わすだけで、次のように次回交換日が分かる。
次回のコンタクト交換日を表示するには、回転体（３）の交換実施日の穴（３ａ）を円筒体（１）の使い捨でコンタクトを交換した日付である第２行目カレンダー表示部（１ｂ）の数字と合わし、さらに、回転体（２）の交換実施月である第１行目カレンダー表示部（２ａ）の数字を交換実施日の穴（３ａ）の列に合わす。
この列の第１行目カレンダー表示部（２ａ）の交換月の背景色の色（８）、色（９）、色（１０）のいずれかと同じ背景色をした次回交換日の穴（３ｂ）、次回交換日の穴（３ｃ）、次回交換日の穴（３ｄ）の中の数字が、次回のコンタクトの交換日である。
さらに、常に次回交換日が意識できるように、毎日コンタクトのケアを行う際に使用するコンタクトケースに取り付けるようにした。
また、コンタクトケース自体にこの構造を取り入れて成型することや、いろいろな形のコンタクトケースや、２週間以外の日数で交換する場合等にも適用ができ、また、ケースに取り付けなくても、目につくように洗面台の鏡に取り付ける等考えられる。
【０００６】
【発明の効果】
本発明は、以上のような構成だから、常に使い捨てコンタクトを交換した日、次回交換日が、一目で分かり、使い捨てコンタクトの使用期限が守られ、構造も簡単なために、コストも抑えられる。
また、コンタクトケース自体に、この構造を取り入れて成型することも考えられる。
【図面の簡単な説明】
【図１】本発明の斜視図である。
【図２】本発明の分解斜視図である。
【図３】本発明の円筒体（１）の展開図である。
【図４】本発明の回転体（２）の展開図である。
【図５】本発明の回転体（３）の展開図である。
【図６】本発明の使用状態を示す斜視図である。
【図７】本発明の円筒体（１）と回転体（２）回転体（３）の重合状態を示す断面図である。
【符号の説明】
１　　円筒体　　　　　　　　　　　　　３ｂ　次回交換日の穴
１ａ　第１行目カレンダー対応部　　　　３ｃ　次回交換日の穴
１ｂ　第２行目カレンダー表示部　　　　３ｄ　次回交換日の穴
１ｃ　第３行目カレンダー表示部　　　　４　　重合用凸部
１ｄ　第４行目カレンダー表示部　　　　５　　重合用凸部
１ｅ　第５行目カレンダー表示部　　　　６　　重合用凹部
２　　回転体　　　　　　　　　　　　　７　　重合用凹部
２ａ　第１行目カレンダー表示部　　　　８　　色
３　　回転体　　　　　　　　　　　　　９　　色
３ａ　交換実施日の穴　　　　　　　　　１０　色
１１　コンタクトケース
【図１】
2004109955.tif 000003
【図２】
2004109955.tif 000004
【図３】
2004109955.tif 000005
【図４】
2004109955.tif 000006
【図５】
2004109955.tif 000007
【図６】
2004109955.tif 000008
【図７】
2004109955.tif 000009